(57)【要約】【課題】パッド内の超音波発振素子の動作不良の検知を、容易かつ安価に実現する超音波照射パッドを提供すること。【解決手段】断線検知機能付超音波照射パッド（１１０）は、生体の部位に当接される当接面と対向する非当接面を透明又は半透明部材により構成するパッド本体（１１１）内において、複数の超音波発振素子（ＰＣ１〜ｎ）を並列的に接続して配置するとともに、この複数の超音波発振素子（ＰＣ１〜ｎ）の各々に発光ダイオード（Ｄａ１・Ｄｂ１〜Ｄａｎ・Ｄｂｎ）を並列に接続して配置する。【選択図】図４
0003156997.tif 000002
【実用新案登録請求の範囲】
【請求項１】
生体の部位に当接される当接面と対向する非当接面を、透明又は半透明部材により構成するパッド本体と、
前記パッド本体内において、並列に接続されて配置される複数の超音波発振素子と、
前記パッド本体内において、複数の前記超音波発振素子の各々に、並列に接続されて配置される発光手段と、
を備えた断線検知機能付超音波照射パッド。
【考案の詳細な説明】
【技術分野】
【０００１】
本考案は、超音波発振素子を組み込んだ超音波照射パッドに関し、特に、超音波発振素子の断線などを検知可能な断線検知機能付超音波照射パッドに関する。
【背景技術】
【０００２】
従来より、超音波を生体に照射することで、肥満を低減・防止、及び健康・美容上の肥満を改善する超音波照射装置が提案されている（特許文献１、非特許文献１参照）。
この超音波照射装置は、特定の範囲の周波数域で、特定の範囲の照射音響パワー面密度超音波を生体に照射する。
これにより、生体の交感神経末端が刺激されてノルアドレナリンなどの脂肪分解促進ホルモンが放出され、或いはリン脂質層及び油滴自体に擾乱が発生して、油滴と分解酵素とが接触できるようになり、生体内の脂肪を分解する効果が得られる。
【先行技術文献】
【特許文献】
【０００３】
【特許文献１】特許第３４１６９０９号公報
【非特許文献】
【０００４】
【非特許文献１】［平成２１年１０月３０日検索］、インターネット＜ＵＲＬ：ｈｔｔｐ：／／ｗｗｗ．ｎａｒｌ−ｍｉｗａ．ｃｏｍ／ｐｒｏｄｕｃｔ／＞
【考案の概要】
【考案が解決しようとする課題】
【０００５】
上記のような超音波照射装置では、内部に１個又は複数個の超音波発振素子を組み込んだ超音波照射パッドを設け、この超音波照射パッドから生体に超音波を照射することとしている。そして、パッドの内部に組み込まれた超音波発振素子は、本体からの駆動電圧が供給されるよう、各電極端子に配線材が取り付けられている。
【０００６】
ところで、このような構成の超音波照射パッドを身体の各部位に張り付けたり、巻き付けたりして長期間使用すると、パッド内部の配線材や電極端子に力が加わり、断線や端子剥離などが発生し、超音波発振素子に駆動電圧が供給出来なくなる事象が発生する。
【０００７】
この様な場合、全体の負荷供給電流量の変化を検知することで断線などを発見する方法が知られているが、動作の停止した超音波発振素子が少ないと、負荷供給電流量の変化がわずかなため、断線などを検知することができない。その結果、装置使用者は一部動作不良になった超音波照射パッドを知らずに使用し続けることになり、装置の効果、効用が損なわれることになる。
また、上記方法では、断線などを検知できた場合であっても、どの素子が動作停止しているのかまでは特定することはできない。
【０００８】
また、超音波発振素子の動作停止を見つけるための他の方法として、超音波照射装置を使用する度に、超音波発振素子毎の超音波出力強度を特別な計測器で直接測定し、動作の良否を判定する方法も知られている。
【０００９】
しかしながら、超音波照射装置を使用するたびに一つ一つ出力強度を測定するのは、装置使用者にとって非常に煩わしく、また、そのために特別な計測器を購入しなければならないという問題があった。
【００１０】
そこで、本考案は、超音波照射パッド内の超音波発振素子の動作不良の検知を、容易かつ安価に実現することを目的とする。
【課題を解決するための手段】
【００１１】
本考案は、具体的には次のようなものを提供する。
【００１２】
（１）  生体の部位に当接される当接面と対向する非当接面を、透明又は半透明部材により構成するパッド本体と、前記パッド本体内において、並列に接続されて配置される複数の超音波発振素子と、前記パッド本体内において、複数の前記超音波発振素子の各々に、並列に接続されて配置される発光手段と、を備えた断線検知機能付超音波照射パッド。
【００１３】
このような断線検知機能付超音波照射パッドによれば、超音波発振素子に電流が流れると同時に発光手段に電流が流れて発光手段が発光するよう構成されている。このため超音波発振素子に電圧が供給されている間は、発光手段は常に点灯しているが、断線などにより電圧が供給されなくなると、その超音波発振素子に並列に接続されている発光手段は消灯する。
その結果、発光手段の点灯／消灯からパッド内部の断線発生を検知することができるとともに、消灯している発光手段の位置から断線箇所を特定することができ、断線及び断線箇所の検知を特別な計測器を用いることなく実現することができる。また、発光手段の点灯／消灯は、透明又は半透明部材により構成された非当接面から容易に確認することができるため、パッドを装着していても断線及び断線箇所を検知することができ、煩わしさがない。
【考案の効果】
【００１４】
よって、本考案によれば、パッド内の超音波発振素子の動作不良の検知を、容易かつ安価に実現することができる。
【図面の簡単な説明】
【００１５】
【図１】本考案の断線検知機能付超音波照射パッドを備える超音波発生装置の構成を示す図である。
【図２】本考案の断線検知機能付超音波照射パッドの装着例を示す図である。
【図３】本考案の断線検知機能付超音波照射パッドの構成を示す図である。
【図４】本考案の断線検知機能付超音波照射パッド内に設けられた超音波発生ユニットの構成を示す図である。
【図５】本考案の断線検知機能付超音波照射パッドによる断線検知の例を示す図である。
【図６】本考案の断線検知機能付超音波照射パッドによる断線検知の例を示す図である。
【考案を実施するための形態】
【００１６】
以下、本考案の実施形態について図面に基づいて詳細に説明する。
【００１７】
［超音波発生装置１の構成］
図１は、本考案の断線検知機能付超音波照射パッド１１０を備えた超音波発生装置１の全体構成を示す図である。
【００１８】
超音波発生装置１は、超音波を生体に照射する超音波照射手段１０と、超音波照射手段１０が設置されたラック３０とを備える。
【００１９】
超音波照射手段１０は、入力手段１０ｂを有する本体１０Ａと、本体１０Ａのコネクタ１０ａに複合ケーブル１１０ａを介して接続された本考案に係る断線検知機能付超音波照射パッド１１０と、を備える。
【００２０】
ラック３０は、超音波照射手段１０が略垂直方向に配置され、最下部に４つの車輪を有し可動可能に形成されている。
【００２１】
図２に示すように、超音波発生装置１は、断線検知機能付超音波照射パッド１１０を使用者の望む部位（例えば、上腕部）に張り付け又は巻き付け、当該部位に約５１７ｋＨｚで１１０ｍＷ／ｃｍ２の微弱な超音波を照射する装置である。このような超音波を生体に照射すると、その部分の交感神経末端が刺激されてノルアドレナリンなどの脂肪分解促進ホルモンが放出され、或いはリン脂質層及び油滴自体に擾乱が発生して、生体内の脂肪を分解する効果が得られる。
【００２２】
［断線検知機能付超音波照射パッド１１０の構成］
図３は、断線検知機能付超音波照射パッド１１０の構成を示す図である。
断線検知機能付超音波照射パッド１１０は、生体の部位に巻付け可能な長辺を有する略矩形の袋状体であるパッド本体１１１と、パッド本体１１１の内部に収容され超音波を発生する複数（ｎ個）の超音波発生ユニットＡ１、Ａ２、・・・Ａｎ（以下、それぞれ区別しない場合には、「超音波発生ユニットＡ」とする場合がある）とを備える。
【００２３】
パッド本体１１１は、上面１１１Ａ（非当接面）が透明又は半透明のシリコンラバーで形成され、生体の部位に当接される下面１１１Ｂ（当接面）が導電性シリコンラバーで形成されている。
パッド本体１１１の大きさは、超音波発生ユニットＡの数量に応じて異なる。すなわち、超音波発生ユニットＡの数が８個のパッド本体１１１（Ｓサイズ）の大きさは、超音波発生ユニットＡの数が１２個のパッド本体１１１（Ｌサイズ）の大きさより小さい。
【００２４】
超音波発生ユニットＡは、パッド本体１１１の下面１１１Ｂ側に超音波を発生するように配置されている。
【００２５】
［超音波発生ユニットＡの構成］
次に、図４を参照して、超音波発生ユニットＡの構成について説明する。
超音波発生ユニットＡ１、Ａ２、・・・Ａｎは、パッド本体１１１の内部においてそれぞれ電気的に並列に接続されて配置され、それぞれ、超音波発振素子ＰＣ１、ＰＣ２、・・・ＰＣｎ（以下、それぞれ区別しない場合には、「超音波発振素子ＰＣ」とする場合がある）と、発光ダイオードＤａ１・Ｄｂ１、Ｄａ２・Ｄｂ２、・・・Ｄａｎ・Ｄｂｎ（以下、それぞれ区別しない場合には、「発光ダイオードＤａＤｂ」とする場合がある）と、抵抗Ｒ１、Ｒ２、・・・Ｒｎ（以下、それぞれ区別しない場合には、「抵抗Ｒ」とする場合がある）と、を備える。
【００２６】
超音波発振素子ＰＣは、発生する超音波の固有周波数を有し、本体１０Ａからの駆動電圧により駆動制御される。一つの断線検知機能付超音波照射パッド１１０には、同一の固有周波数の超音波を発生可能な超音波発振素子ＰＣが複数個（ｎ個）収容されている。
【００２７】
発光ダイオードＤａＤｂは、本体１０Ａからの駆動電圧により発光制御される。一つの断線検知機能付超音波照射パッド１１０には、発光ダイオードＤａＤｂが複数個（ｎ個）収容されている。
【００２８】
抵抗Ｒは、発光ダイオードＤａＤｂに直列的に接続され（例えば、発光ダイオードＤａ１・Ｄｂ１に抵抗Ｒ１が直列的に接続される）、発光ダイオードＤａＤｂに供給される電流を許容内に制限する。
【００２９】
ここで、超音波発振素子ＰＣには、発光ダイオードＤａＤｂ及び発光ダイオードＤａＤｂに直列的に接続された抵抗Ｒ、が並列的に接続される（例えば、超音波発振素子ＰＣ１には、発光ダイオードＤａ１・Ｄｂ１及びＰＣ１、が並列的に接続される）。
【００３０】
その結果、本考案に係る断線検知機能付超音波照射パッド１１０は、本体１０Ａから駆動電圧が供給されると、超音波発振素子ＰＣに電流が流れると同時に、抵抗Ｒを通して発光ダイオードＤａＤｂに電流が流れて各々が発光するよう構成されている。
【００３１】
［断線箇所の検知］
続いて、本考案に係る断線検知機能付超音波照射パッド１１０における断線箇所の検知について図４から図６を参照して説明する。
【００３２】
図４に示すように、超音波発生ユニットＡ２では断線１３０が発生している。なお、超音波発生ユニットＡ２以外の超音波発生ユニットＡでは断線は発生していない。
断線１３０が発生しているため、本体１０Ａから駆動電圧が供給されても、超音波発振素子ＰＣ２には電流が流れず、超音波発振素子ＰＣ２から超音波は発生しない。このとき、超音波発振素子ＰＣ２に電流が流れないため、発光ダイオードＤａ２・Ｄｂ２にも電流が流れず、発光ダイオードＤａ２・Ｄｂ２は発光しない。
【００３３】
図５は、このような場合における断線検知機能付超音波照射パッド１１０の断面図である。
発光ダイオードＤａＤｂの発光に伴う光は、透明又は半透明の上面１１１Ａを透過する。なお、上面１１１Ａは、生体への当接面と対向する非当接面であるため、断線検知機能付超音波照射パッド１１０を装着していた場合にも、装着者や装置管理者は、上面１１１Ａを透過した光を確認することができる。
【００３４】
図６は、超音波発生ユニットＡ２で断線１３０が発生した場合の上面１１１Ａから見た断線検知機能付超音波照射パッド１１０を示す。
図６に示すように、発光ダイオードＤａ２・Ｄｂ２が発光していない様子を、上面１１１Ａから確認することができる。これにより、超音波発生ユニットＡ２において断線などが発生していることを容易に把握することができる。
【００３５】
以上のように、本考案に係る断線検知機能付超音波照射パッド１１０によれば、発光ダイオードＤａＤｂの発光態様から断線が発生しているか否かを検知でき、また、発光していない発光ダイオードＤａＤｂの位置から断線箇所を特定することができる。
そして、このような断線の検知や断線箇所の特定にあたり、特別な計測器を使用する必要がないことから、パッド本体１１１内の超音波発振素子ＰＣの動作不良の検知を、容易かつ安価に実現することができる。
【００３６】
以上、本考案の実施形態について説明したが、本考案は上述した実施形態に限るものではない。また、本考案の実施形態に記載された効果は、本考案から生じる最も好適な効果を列挙したに過ぎず、本考案による効果は、本考案の実施形態に記載されたものに限定されるものではない。
【００３７】
例えば、本考案の実施形態では、光量確保のため発光ダイオードを２個並列に使用している（例えば、超音波発生ユニットＡ１において、発光ダイオードＤａ１・Ｄｂ１の２個の発光ダイオードを使用している）が、光量を確保できるのであれば、１個の発光ダイオードをダイオードに変えても良い。
【符号の説明】
【００３８】
１１０    断線検知機能付超音波照射パッド
１１１    パッド本体
ＰＣ      超音波発振素子
ＤａＤｂ  発光ダイオード
【図１】
0003156997.tif 000003
【図２】
0003156997.tif 000004
【図３】
0003156997.tif 000005
【図４】
0003156997.tif 000006
【図５】
0003156997.tif 000007
【図６】
0003156997.tif 000008